【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
患者の顔の３Ｄモデル及び複数の患者インターフェイスデバイスの３Ｄモデルを受け取り、前記患者の顔の３Ｄモデル上の１つ以上のランドマークを決定し、前記患者の顔の３Ｄモデル及び前記患者インターフェイスデバイスのうちの１つ以上の患者インターフェイスデバイスの３Ｄモデルを使用することによって前記１つ以上の患者インターフェイスデバイスの幾何学的適合スコアを計算する幾何学的適合スコア決定ユニットであって、当該幾何学的適合スコア決定ユニットは、前記患者インターフェイスデバイスの３Ｄモデルを前記患者の顔の３Ｄモデル上の決定された前記ランドマークと位置合わせし、前記患者インターフェイスデバイスの３Ｄモデルを微調整することによって、前記患者インターフェイスデバイスのうちの１つの３Ｄモデルを前記患者の顔の３Ｄモデルにフィットさせ、前記微調整は、クッションの輪郭が前記患者の顔の３Ｄモデルの輪郭に合うよう、前記患者インターフェイスデバイスの３Ｄモデルを回転及び平行移動させることを含む、幾何学的適合スコア決定ユニットと、
前記患者の顔の３Ｄモデル及び前記複数の患者インターフェイスデバイスの３Ｄモデルから選択された患者インターフェイスデバイスの３Ｄモデルを表示する表示領域、並びに、患者インターフェイスデバイス識別情報及び前記１つ以上の患者インターフェイスデバイスの前記幾何学的適合スコアに基づき計算された前記１つ以上の患者インターフェイスデバイスの総合適合スコアを表示し、ユーザーが前記表示領域に表示される前記患者インターフェイスデバイスを選択することを可能にする患者インターフェイスデバイス選択領域を含むユーザーインターフェイスを生成するユーザーインターフェイス生成器と
を含む、電子装置。
【請求項２】
患者情報及び／又は前記１つ以上の患者インターフェイスデバイスに関連付けられた追加情報を受け取り、前記患者情報及び／又は前記１つ以上の患者インターフェイスデバイスに関連付けられた前記追加情報に基づき前記１つ以上の患者インターフェイスデバイスの患者基準適合スコアを計算する患者基準適合スコア決定ユニットと、
前記１つ以上の患者インターフェイスデバイスの計算された前記幾何学的適合スコア及び計算された前記患者基準適合スコアに基づき、前記１つ以上の患者インターフェイスデバイスの総合適合スコアを計算する総合適合スコア決定ユニットと
を更に含む、請求項１に記載の電子装置。
【請求項３】
前記幾何学的適合スコア決定ユニットは、前記１つ以上の患者インターフェイスデバイスの前記幾何学的適合スコアを計算するとき、前記患者の顔及び前記患者インターフェイスデバイスの変形を考慮する、請求項１に記載の電子装置。
【請求項４】
前記ユーザーインターフェイス生成器は、前記ユーザーが患者情報を入力するための問診票を前記ユーザーインターフェイス上に生成し、前記ユーザーインターフェイス生成器は、前記ユーザーが前記問診票を提出したことに応じて、前記表示領域及び前記患者インターフェイスデバイス選択領域を前記ユーザーインターフェイス内に生成する、請求項１に記載の電子装置。
【請求項５】
前記ユーザーが前記問診票を提出したことに応じて、前記ユーザーインターフェイス生成器は、前記１つ以上の患者インターフェイスデバイスから最も高い総合適合スコアを有する患者インターフェイスデバイスを自動的に選択する、請求項４に記載の電子装置。
【請求項６】
前記ユーザーインターフェイス生成器は、前記ユーザーインターフェイス内にサイズ選択ツールを生成し、前記サイズ選択ツールは、前記ユーザーが選択された前記患者インターフェイスデバイスのサイズを選択することを可能にする、請求項１に記載の電子装置。
【請求項７】
前記サイズ選択ツールは、選択された前記患者インターフェイスデバイスの各サイズに対応する前記総合適合スコアを表示する、請求項６に記載の電子装置。
【請求項８】
前記ユーザーインターフェイス生成器は、前記ユーザーインターフェイス内に詳細な適合スコア表示ツールを生成し、前記詳細な適合スコア表示ツールは、前記ユーザーインターフェイス上の詳細な適合スコア表示領域の表示をトグルし、
前記詳細な適合スコア表示領域は、詳細な適合スコア情報を表示する、請求項１に記載の電子装置。
【請求項９】
前記患者インターフェイスデバイス選択領域は、前記ユーザーインターフェイスの前記患者インターフェイスデバイス選択領域内に表示される前記１つ以上の患者インターフェイスデバイスをフィルタリングする１つ以上のフィルタリングツールを含む、請求項１に記載の電子装置。
【請求項１０】
前記ユーザーインターフェイス生成器は、相互作用マップツールを生成し、また、前記患者の顔の３Ｄモデルと選択された前記患者インターフェイスデバイスの３Ｄモデルとの間の相互作用マップを計算し、
前記相互作用マップツールは、前記相互作用マップの表示をトグルする、請求項１に記載の電子装置。
【請求項１１】
患者インターフェイスデバイスを選択する方法であって、
患者の顔の３Ｄモデルを受け取るステップと、
複数の患者インターフェイスデバイスの３Ｄモデルを受け取るステップと、
前記患者の顔の３Ｄモデル上の１つ以上のランドマークを決定するステップと、
前記患者の顔の３Ｄモデル及び前記患者インターフェイスデバイスのうちの１つ以上の患者インターフェイスデバイスの３Ｄモデルを使用することによって前記１つ以上の患者インターフェイスデバイスの幾何学的適合スコアを計算するステップであって、当該幾何学的適合スコアを計算するステップは、前記患者インターフェイスデバイスの３Ｄモデルを前記患者の顔の３Ｄモデル上の決定された前記ランドマークと位置合わせし、前記患者インターフェイスデバイスの３Ｄモデルを微調整することによって前記患者インターフェイスデバイスのうちの１つの３Ｄモデルを前記患者の顔の３Ｄモデルにフィットさせるステップを含み、前記微調整は、クッションの輪郭が前記患者の顔の３Ｄモデルの輪郭に合うよう、前記患者インターフェイスデバイスの３Ｄモデルを回転及び平行移動させることを含むステップと、
前記１つ以上の患者インターフェイスデバイスの計算された前記幾何学的適合スコアに基づき前記１つ以上の患者インターフェイスデバイスの総合適合スコアを計算するステップと、
ユーザーインターフェイスを生成するステップであって、
前記患者の顔の３Ｄモデル及び前記患者インターフェイスデバイスのうちの選択された１つの３Ｄモデルを表示する表示領域を生成するステップと、
患者インターフェイスデバイス識別情報及び前記１つ以上の患者インターフェイスデバイスの計算された前記総合適合スコアを表示し、ユーザーが前記表示領域に表示される前記患者インターフェイスデバイスを選択することを可能にする患者インターフェイスデバイス選択領域を生成するステップとを含む、ステップと
を含む、方法。
【請求項１２】
患者情報及び／又は前記１つ以上の患者インターフェイスデバイスに関連付けられた追加情報を受け取るステップと、
前記患者情報及び／又は前記１つ以上の患者インターフェイスデバイスに関連付けられた前記追加情報に基づき前記１つ以上の患者インターフェイスデバイスの患者基準適合スコアを計算するステップと、
前記１つ以上の患者インターフェイスデバイスの計算された前記幾何学的適合スコア及び計算された前記患者基準適合スコアに基づき前記１つ以上の患者インターフェイスデバイスの前記総合適合スコアを計算するステップと
を更に含む、請求項１１に記載の方法。
【請求項１３】
複数の患者インターフェイスデバイスのうちの患者インターフェイスデバイスを選択するための方法であって、
患者の顔の３Ｄモデルを作成するステップと、
前記複数の患者インターフェイスデバイスのそれぞれの３Ｄモデルを作成するステップと、
前記患者の顔の３Ｄモデルを患者インターフェイスデバイス選択システムに供給するステップと、
前記患者インターフェイスデバイスの３Ｄモデルのうちの１つ以上を前記患者インターフェイスデバイス選択システムに供給するステップと、
前記患者インターフェイスデバイス選択システムを使用して、前記１つ以上の患者インターフェイスデバイスの総合適合スコアを取得し、前記患者インターフェイスデバイスの３Ｄモデルのうちの１つ以上が取り付けられた前記患者の顔の３Ｄモデルを表示するステップと、
前記患者インターフェイスデバイスのうちの１つを選択するステップと
を含み、
前記患者インターフェイスデバイス選択システムは、
患者の顔の３Ｄモデル及び１つ以上の患者インターフェイスデバイスの３Ｄモデルを受け取り、前記患者の顔の３Ｄモデル上の１つ以上のランドマークを決定し、前記患者の顔の３Ｄモデル及び前記患者インターフェイスデバイスのうちの１つ以上の患者インターフェイスデバイスの３Ｄモデルを使用することによって前記１つ以上の患者インターフェイスデバイスの幾何学的適合スコアを計算する幾何学的適合スコア決定ユニットであって、当該幾何学的適合スコア決定ユニットは、前記患者インターフェイスデバイスの３Ｄモデルを前記患者の顔の３Ｄモデル上の決定された前記ランドマークと位置合わせし、前記患者インターフェイスデバイスの３Ｄモデルを微調整することによって、前記患者インターフェイスデバイスのうちの１つの３Ｄモデルを前記患者の顔の３Ｄモデルにフィットさせ、前記微調整は、クッションの輪郭が前記患者の顔の３Ｄモデルの輪郭に合うよう、前記患者インターフェイスデバイスの３Ｄモデルを回転及び平行移動させることを含む、幾何学的適合スコア決定ユニットと、
前記患者の顔の３Ｄモデル及び前記患者インターフェイスデバイスのうちの選択された１つの３Ｄモデルを表示する表示領域、並びに、患者インターフェイスデバイス識別情報及び前記１つ以上の患者インターフェイスデバイスの前記幾何学的適合スコアに基づき計算された前記１つ以上の患者インターフェイスデバイスの前記総合適合スコアを表示し、ユーザーが前記表示領域に表示される前記患者インターフェイスデバイスを選択することを可能にする患者インターフェイスデバイス選択領域を含むユーザーインターフェイスを生成するユーザーインターフェイス生成器と
を含む、方法。
【請求項１４】
患者のための患者インターフェイスデバイスを提供する方法であって、
患者の顔の３Ｄモデルを受け取るステップと、
複数の患者インターフェイスデバイスの３Ｄモデルを受け取るステップと、
前記患者の顔の３Ｄモデル上の１つ以上のランドマークを決定するステップと、
前記患者の顔の３Ｄモデル及び前記患者インターフェイスデバイスのうちの１つ以上の患者インターフェイスデバイスの３Ｄモデルを使用することによって前記１つ以上の患者インターフェイスデバイスの幾何学的適合スコアを計算するステップであって、当該幾何学的適合スコアを計算するステップは、前記患者インターフェイスデバイスの３Ｄモデルを前記患者の顔の３Ｄモデル上の決定された前記ランドマークと位置合わせし、前記患者インターフェイスデバイスの３Ｄモデルを微調整することによって前記患者インターフェイスデバイスのうちの１つの３Ｄモデルを前記患者の顔の３Ｄモデルにフィットさせるステップを含み、前記微調整は、クッションの輪郭が前記患者の顔の３Ｄモデルの輪郭に合うよう、前記患者インターフェイスデバイスの３Ｄモデルを回転及び平行移動させることを含むステップと、
前記１つ以上の患者インターフェイスデバイスの計算された前記幾何学的適合スコアに基づき前記１つ以上の患者インターフェイスデバイスの総合適合スコアを計算するステップと、
前記患者のための前記患者インターフェイスデバイスを製作するために、前記患者のための前記患者インターフェイスデバイスの形状を決定するために、並びに／又は所定の患者インターフェイスデバイスのセットから前記患者のための前記患者インターフェイスデバイスを選択するために前記幾何学的適合スコア及び前記総合適合スコアを使用するステップと
を含む、方法。